【手続補正書】
【提出日】平成18年12月15日(2006.12.15)
【手続補正１】
【補正対象書類名】明細書
【補正対象項目名】発明の名称
【補正方法】変更
【補正の内容】
【発明の名称】無拘束生体情報検知マット及び生体情報検知装置
【手続補正２】
【補正対象書類名】明細書
【補正対象項目名】特許請求の範囲
【補正方法】変更
【補正の内容】
【特許請求の範囲】
【請求項１】
検知素子を備えて、人体の心拍・呼吸数計測、心拍・呼吸波形測定、人体検知、体温測定を行う無拘束生体情報検知マットにおいて、
前記検知素子を保護する保護材を有することを特徴とする無拘束生体情報検知マット。
【請求項２】
前記検知素子は圧電センサであることを特徴とする請求項１に記載の無拘束生体情報検知マット。
【請求項３】
前記検知素子は圧電フィルムであることを特徴とする請求項１に記載の無拘束生体情報検知マット。
【請求項４】
前記検知素子はＰＶＤＦフィルムであることを特徴とする請求項１に記載の無拘束生体情報検知マット。
【請求項５】
前記検知素子は窒化アルミニュウム薄膜であることを特徴とする請求項１に記載の無拘束生体情報検知マット。
【請求項６】
前記検知素子はひずみゲージであることを特徴とする請求項１に記載の無拘束生体情報検知マット。
【請求項７】
前記保護材はラミネート加工によって前記検知素子に装着されていることを特徴とする請求項１ないし請求項６のいずれかに記載の無拘束生体情報検知マット。
【請求項８】
前記検知素子は凹凸面を備えることを特徴とする請求項１ないし請求項７のいずれかに記載の無拘束生体情報検知マット。
【請求項９】
前記保護材は凹凸面を備えることを特徴とする請求項１ないし請求項７のいずれかに記載の無拘束生体情報検知マット。
【請求項１０】
前記保護材は弾性素材であることを特徴とする請求項１ないし請求項７のいずれかに記載の無拘束生体情報検知マット。
【請求項１１】
前記検知素子と前記保護材の間に介在する凹凸状の物体を有することを特徴とする請求項１ないし請求項７のいずれかに記載の無拘束生体情報検知マット。
【請求項１２】
前記検知素子と前記保護材の間に介在する弾性素材を有することを特徴とする請求項１ないし請求項７のいずれかに記載の無拘束生体情報検知マット。
【請求項１３】
前記検知素子に弾性率の異なる複数の弾性素材を積層して多層構造としたことを特徴とする請求項１ないし請求項７のいずれかに記載の無拘束生体情報検知マット。
【請求項１４】
外皮に弾性率の異なる複数の弾性素材を積層貼付してなることを特徴とする請求項１ないし請求項７のいずれかに記載の無拘束生体情報検知マット。
【請求項１５】
外皮に防水加工を施してなることを特徴とする請求項１ないし請求項１４のいずれかに記載の無拘束生体情報検知マット。
【請求項１６】
防水カバーを装着してなることを特徴とする請求項１ないし請求項１４のいずれかに記載の無拘束生体情報検知マット。
【請求項１７】
請求項１ないし請求項１６のいずれかに記載の無拘束生体情報検知マットを備えることを特徴とする生体情報検知装置。
【手続補正３】
【補正対象書類名】明細書
【補正対象項目名】発明の詳細な説明
【補正方法】変更
【補正の内容】
【発明の詳細な説明】
【０００１】
本発明は高齢者や病人の就寝中の突発性重大事故を未然に防ぐとともに、快適な治癒環境の創造、および今後の高齢化社会での看護の効率化を図るもので、ベッドまたは、布団に装着した生体情報検知マットに病人または、高齢者が衣類を身に付けたまま寝るだけで、生体情報検知マット信号からの生体情報から、心拍・呼吸数計測、及び異常検知、苦痛検知、寝返り検知、離床検知、不整脈検知、体温測定が行える。また、徘徊を未然に防ぐ為の離床検知機能が作動したり、生体異常が自動判断されると、介護人や看護婦に音や光で知らせる事ができる。また、ナースステーションに設置したパソコンで複数センサの管理や、高齢者住宅と介護センター間を双方向通信で結び生体情報を管理することにより、高齢者の孤独死を未然に防ぐセンサである。また、乳幼児突然死症候群による事故を未然に防ぐ無拘束生体情報検知マットである。
【０００２】
【従来の技術】
従来、高齢者や病人の心電図、呼吸数計測は、体に複数の電極を装着したり、鼻の穴にチューブを入れて行うのが一般的であるが、モニターが高価で設置場所をとるということから、計測は重症患者のみに限定されている。その為、一般患者や在宅高齢者は、心疾患や脳梗塞等による急変を看護婦又は、看護人に知らせる事ができずに死亡するケースが年々増加しているのが現状である。
【０００３】
【発明が解決しようとする課題】
しかしながら、機器のローコスト化が図られても、心臓や呼吸機能その他の生体情報モニターは、複数の電極やチューブを素肌に直接装着していた為、行動の自由を奪われるだけでなく、ストレスが大きな負担として残る。また、退院しても拘束時の苦痛が脳裡に焼き付けており、元の生活に戻るには時間がかかる。また、在宅高齢者や病人が心疾患や脳梗塞等に陥った時、自ら緊急ボタンを押す事ができず死亡するケースも増大傾向にある。
【０００４】
本発明は、上述の生体情報モニターによる精神的負担軽減と、比較的体の自由が利く高齢者や病人の就寝中の生体情報を無拘束で検知を行い異常解析を行う。異常が判断されると介護人または看護婦に音や光で異常を知らせて重大事故を未然に防ぐ事ができる無拘束による生体情報検知マットを提供する事を目的とする。
【０００５】
【課題を解決する手段】
本発明に係る無拘束生体情報検知マットの第１の構成は、検知素子を備えて、人体の心拍・呼吸数計測、心拍・呼吸波形測定、人体検知、体温測定を行う無拘束生体情報検知マットにおいて、前記検知素子を保護する保護材を有することを特徴とする。
【０００６】
本発明に係る無拘束生体情報検知マットの第２の構成は、前記第１の構成において、前記検知素子は圧電センサであることを特徴とする。
【０００７】
本発明に係る無拘束生体情報検知マットの第３の構成は、前記第１の構成において、  前記検知素子は圧電フィルムであることを特徴とする。
【０００８】
本発明に係る無拘束生体情報検知マットの第４の構成は、前記第１の構成において、前記検知素子はＰＶＤＦフィルムであることを特徴とする。
【０００９】
本発明に係る無拘束生体情報検知マットの第５の構成は、前記第１の構成において、前記検知素子は窒化アルミニュウム薄膜であることを特徴とする。
【００１０】
本発明に係る無拘束生体情報検知マットの第６の構成は、前記第１の構成において、前記検知素子はひずみゲージであることを特徴とする。
【００１１】
本発明に係る無拘束生体情報検知マットの第７の構成は、前記第１ないし第６のいずれかの構成において、前記保護材はラミネート加工によって前記検知素子に装着されていることを特徴とする。
【００１２】
本発明に係る無拘束生体情報検知マットの第８の構成は、前記第１ないし第７のいずれかの構成において、前記検知素子は凹凸面を備えることを特徴とする。
【００１３】
本発明に係る無拘束生体情報検知マットの第９の構成は、前記第１ないし第７のいずれかの構成において、前記保護材は凹凸面を備えることを特徴とする。
【００１４】
本発明に係る無拘束生体情報検知マットの第１０の構成は、前記第１ないし第７のいずれかの構成において、前記保護材は弾性素材を有することを特徴とする。
【００１５】
本発明に係る無拘束生体情報検知マットの第１１の構成は、前記第１ないし第７のいずれかの構成において、  前記検知素子と前記保護材の間に介在する凹凸状の物体を有することを特徴とする。
【００１６】
本発明に係る無拘束生体情報検知マットの第１２の構成は、前記第１ないし第７のいずれかの構成において、前記検知素子と前記保護材の間に介在する弾性素材を有することを特徴とする。
【００１７】
本発明に係る無拘束生体情報検知マットの第１３の構成は、前記第１ないし第７のいずれかの構成において、前記検知素子に弾性率の異なる複数の弾性素材を積層して多層構造としたことを特徴とする。
【００１８】
本発明に係る無拘束生体情報検知マットの第１４の構成は、前記第１ないし第７のいずれかの構成において、外皮に弾性率の異なる複数の弾性素材を積層貼付してなるたことを特徴とする。
【００１９】
本発明に係る無拘束生体情報検知マットの第１５の構成は、前記第１ないし第１４のいずれかの構成において、外皮に防水加工を施してなることを特徴とする。
【００２０】
本発明に係る無拘束生体情報検知マットの第１６の構成は、前記第１ないし第１４のいずれかの構成において、防水カバーを装着してなることを特徴とする。
【００２１】
本発明に係る生体情報検知装置の構成は、前記第１ないし第１６のいずれかの構成を備える無拘束生体情報検知マットを備えることを特徴とする。
【００２２】
【発明の実施形態】
図１は、本願発明の請求項１〜１６に係る無拘束生体情報検知マット１を含む生体情報検知装置の実施例を示す概略ブロックダイアグラム図である。図１の本願発明の請求項１〜１６に係る無拘束生体情報検知マット１出力である検知出力２は、無拘束生体情報異常装置の生体情報信号分離部の入力側に接続され、生体情報信号分離部３の出力は、生体判断部４の入力側に接続される。生体異常判断部４は、生体情報を表示する生体情報表示部５と警報ブザー６とランプ７に接続され、生体異常判断部５の異常判断結果や生体情報出力を自動通報器８を入力し、自動通報器８の出力は、有線または無線を介して遠距離に設置されたパソコン９に入力され、自動通報器８とパソコン９は双方向に情報通信が行われる。
【００２３】
以上の構成により、図１より本願発明の請求項１〜１６に係る無拘束生体情報検知マット１を含む無拘束生体情報異常装置の動作を説明する。無拘束生体情報検知マット１からは無拘束生体情報検知マット１上の人体の心拍と呼吸成分に同期した信号に商用周波数と温度電圧が重畳された検知出力２が出力される。
【００２４】
無拘束生体情報検知マット１出力である検知出力２は、無拘束生体情報異常装置１０の生体情報信号分離部３に入力される。生体情報信号分離部３で検知出力２に含まれている心拍波形と呼吸波形と人体検知信号と体温波形の信号を分離して生体異常判断部４に入力する、生体異常判断部４で心拍波形から心拍数を計測する。また、計測結果値をあらかじめ設定された上限値、および下限値と比較する。もし、設定値をオーバーしたり下回った時は、ブザー６とランプ７で同居人に知らせる。また、独居老人宅の場合には自動通報器８で遠隔地に設置されたコンピュータ９を介して近親者や介護監視人に異常を知らせる。
【００２５】
また、呼吸波形から呼吸数の計測を行いあらかじめ設定された上限値と比較する。もし、設定値をオーバーしたり、呼吸停止時間設定値をオーバーした時は、ブザー６とランプ７で同居人に知らせる。また、独居老人宅の場合には自動通報器８で遠隔地に設置されたコンピュータ９を介して近親者や介護監視人に異常を知らせる。
【００２６】
また、心拍・呼吸波形や心拍・呼吸数から床ズレ防止の為の寝返り判断を行う。もし、寝返り間隔時間が設定値をオーバーすると床ズレの可能性がある事をブザー６とランプ７で同居人に知らせる。また、独居老人宅の場合には自動通報器８で遠隔地に設置されたコンピュータ９を介して近親者や介護監視人に異常を知らせる。
【００２７】
また、心拍・呼吸波形や心拍・呼吸数から痰詰りや食物を喉に詰まらせる苦痛判断を行う。もし、苦痛時間が設定値をオーバーするとブザー６とランプ７で同居人に知らせる。また、独居老人宅の場合には自動通報器８で遠隔地に設置されたコンピュータ９を介して近親者や介護監視人に異常を知らせる。
【００２８】また、心拍・呼吸波形や心拍・呼吸数から心拍周期が不規則と判断をすると、ブザー６とランプ７で同居人に知らせる。また、独居老人宅の場合には自動通報器８で遠隔地に設置されたコンピュータ９を介して近親者や介護監視人に異常を知らせる。
【００２９】
また、体温波形から相対体温を求めメモリーに記憶させる。体温異常が限定時間をオーバーするとブザー６とランプ７で同居人に知らせる。また、独居老人宅の場合には自動通報器８で遠隔地に設置されたコンピュータ９を介して近親者や介護監視人に異常を知らせる。
【００３０】
また、人体検知信号からベッドに人が居るか居ないかを判断する。判断結果は心拍、呼吸異常の最終判断で用いたり、徘徊防止策に用いる。もし、ベッドから起き上がったり、離れたりすると、ブザー６とランプ７で同居人に知らせる。
【００３１】
また、生体異常判断部４の判断結果や数値、波形を生体情報表示部５で表示する事ができる。
【００３２】
また、生体異常判断部４の判断結果や数値、波形をプリンター１１で自由に出力する事ができる。
【００３３】
また、生体異常判断部４の判断結果や数値、波形を自動通報器８を通信回線を介して、遠隔地にコンピュータ９データを転送したり、呼び出す双方向通信が可能である。
【００３４】
また、病院または施設に複数の無拘束生体情報異常判断装置をナースステーションに設置したパソコンで総合的に管理を行う事ができる。
【００３５】
また、図１の無拘束生体情報異常判断装置の生体情報信号分離部３と生体異常判断部４は、専用ＩＣまたは、前述の処理判断をソフトで処理する手段も可能である。
【００３６】
以上、説明したように無拘束で人体の生体情報を検知し、異常判断を行う為に必要な生体情報を得る為に必要な検知器が本願発明の請求項１〜１６に係る無拘束生体情報検知マットで、図２は請求項１〜６に係る無拘束生体情報検知マット１の概略図を示す。図３は請求項７に係る無拘束生体情報検知マット１の概略図を示す。図４は請求項８に係る無拘束生体情報検知マット１の概略図を示す。図５は請求項９に係る無拘束生体情報検知マット１の概略図を示す。図６は請求項１０に係る無拘束生体情報検知マット１の概略図を示す。図７は請求項１１に係る無拘束生体情報検知マット１の概略図を示す。図８は請求項１２に係る無拘束生体情報検知マット１の概略図を示す。図９は請求項１３に係る無拘束生体情報検知マット１の概略図を示す。図１０は請求項１４に係る無拘束生体情報検知マット１の概略図を示す。図１１は請求項１５に係る無拘束生体情報検知マット１の概略図を示す。図１２は請求項１６に係る無拘束生体情報検知マット１の概略図を示す。
【００３７】
【発明の効果】
以上詳細に説明したような本発明により無拘束生体情報検知マットと生体情報検知装置とで、高齢者または病人の呼吸や、心拍の異常を自動的に判断し、警報装置で介護人または看護婦に音や光で知らせる事ができるので突然死を未然に防ぐ事ができる。
【００３８】
一台のセンサで呼吸・心拍数および異常解析、離床、寝返り、苦痛検知、体温計測、不整脈検知ができ経済的である。
【手続補正４】
【補正対象書類名】明細書
【補正対象項目名】図面の簡単な説明
【補正方法】変更
【補正の内容】
【図面の簡単な説明】
【図１】本願の生体情報検知装置の実施例を示す概略ブロックダイアグラム図である。
【図２】請求項１〜６に係る無拘束生体情報検知マット１の概略図である。
【図３】請求項７に係る無拘束生体情報検知マット１の概略図である。
【図４】請求項８に係る無拘束生体情報検知マット１の概略図である。
【図５】請求項９に係る無拘束生体情報検知マット１の概略図である。
【図６】請求項１０に係る無拘束生体情報検知マット１の概略図である。
【図７】請求項１１に係る無拘束生体情報検知マット１の概略図である。
【図８】請求項１２に係る無拘束生体情報検知マット１の概略図である。
【図９】請求項１３に係る無拘束生体情報検知マット１の概略図である。
【図１０】請求項１４に係る無拘束生体情報検知マット１の概略図である。
【図１１】請求項１５に係る無拘束生体情報検知マット１の概略図である。
【図１２】請求項１６に係る無拘束生体情報検知マット１の概略図である。